(57)【要約】【課題】省スペース化を図ることができ、情報処理装置のＯＳが起動していない状態であっても情報処理装置に対して操作可能な情報処理システムを実現する。【解決手段】本発明の情報処理システム１００は、タッチパネル付きディスプレイ装置１とパーソナルコンピュータ２とを備える。タッチパネル付きディスプレイ装置１は、表示画面１１と、タッチパネル１２とを備え、パーソナルコンピュータ２に対する指示信号を出力する。ＯＳＤ画像読出部１７は、キーボード画像データ１６１を読み出して、表示画面１１にキーボード画像を表示させる。キーボード画像の表示領域においてタッチ入力が検出されると、キーコード出力部１９２は、タッチ位置に対応するキーのキーコードを出力する。【選択図】図１
2010086322.tif 000002
【特許請求の範囲】
【請求項１】
アプリケーションプログラムとアプリケーションプログラムを起動させるためのＯＳを記憶している情報処理装置と、当該情報処理装置に対する指示信号を出力するタッチパネル付きディスプレイ装置とを備える情報処理システムであって、
上記タッチパネル付きディスプレイ装置は、
表示画面と、タッチパネルと、キーボード画像データを記憶するキーボード画像データ記憶手段と、上記キーボード画像データ記憶手段から上記キーボード画像データを読み出して上記表示画面にキーボード画像を表示させるキーボード画像表示手段と、上記キーボード画像のキーとキーコードとの対応関係を示すキーコードデータを記憶するキーコードデータ記憶手段と、上記キーボード画像の表示領域においてタッチ入力を検出すると、上記キーボード画像のタッチ位置に対応するキーのキーコードを上記キーコードデータ記憶手段から読み出して、読み出したキーコードを上記指示信号として上記情報処理装置に出力するキーコード出力手段とを備え、
上記情報処理装置の電源と上記タッチパネル付きディスプレイ装置の電源がともに入っているときに、上記ＯＳから独立して上記タッチパネル付きディスプレイ装置から上記情報処理装置へ上記指示信号を出力することを特徴とする情報処理システム。
【請求項２】
上記情報処理装置のＯＳが起動しない場合、
上記タッチパネル付きディスプレイ装置は、上記ＯＳを起動させる指示信号を出力することを特徴とする請求項１に記載の情報処理システム。
【請求項３】
上記情報処理装置のＯＳがフリーズした場合、
上記タッチパネル付きディスプレイ装置は、上記ＯＳを再起動させる指示信号を出力することを特徴とする請求項１に記載の情報処理システム。
【請求項４】
上記情報処理装置のＯＳがフリーズした場合、
上記タッチパネル付きディスプレイ装置は、上記ＯＳを終了させる指示信号を出力することを特徴とする請求項１に記載の情報処理システム。
【発明の詳細な説明】
【技術分野】
【０００１】
本発明は、パーソナルコンピュータ等の情報処理装置に対する操作指示を行うためのディスプレイ装置と情報処理装置からなる情報処理システムに関するものであり、特に、タッチ入力によって情報処理装置に操作指示を行うディスプレイ装置と情報処理装置からなる情報処理システムに関するものである。
【背景技術】
【０００２】
パーソナルコンピュータ等の情報処理装置に対する操作指示を行う場合、図５に示すように、ディスプレイ装置２０１の表示画面に操作画面を表示させ、パーソナルコンピュータ２０２に対する操作指示をキーボード２０３の入力操作により行う構成が一般的である。
【０００３】
また、省スペース化を図るため、図６に示すように、キーボードを設ける代わりに、ディスプレイ装置３０１の表示画面の周囲にメンブレンキーボードを配置し、メンブレンキーボードを操作することにより、パーソナルコンピュータ３０２に対する操作指示を行う構成が提案されている。
【０００４】
さらに、図７に示すように、ディスプレイ装置４０１のタッチパネル付き表示画面にパーソナルコンピュータ４０２のアプリケーションプログラムによってキーボード画像４０１ａを表示させ、キーボード画像４０１ａをタッチ入力を行うことにより、パーソナルコンピュータ４０２に対する操作指示を行う構成が提案されている。これにより、図６に示すディスプレイ装置３０１のように、表示画面の周囲にメンブレンキーボードを配置する必要がないので、表示画面のサイズを縮小させることなく省スペース化を図ることができる。同様の技術は、例えば特許文献１に開示されている。
【特許文献１】特開２００２−２２９７１８号公報（２００２年８月１６日公開）
【発明の開示】
【発明が解決しようとする課題】
【０００５】
しかしながら、図７に示すディスプレイ装置４０１では、キーボード画像４０１ａがパーソナルコンピュータ４０２のアプリケーションプログラムによって表示されているので、パーソナルコンピュータ４０２のオペレーションシステム（ＯＳ）が何らかの原因で起動できない場合、キーボード画像４０１ａが表示されずタッチ入力ができないという問題を生じる。また、パーソナルコンピュータ４０２がフリーズした場合でも、キーボード画像４０１ａが表示できないため、ディスプレイ装置４０１によってパーソナルコンピュータ４０２に対する操作指示を行うことができない。
【０００６】
なお、特許文献１には、ディスプレイ装置の表示画面にキーボード画像を表示する旨の記載はあるが、タッチパネルにおけるタッチ位置決定方法に主眼を置いており、キーボード画像を表示するための具体的な構成は開示されていない。
【０００７】
本発明は、上記の問題点に鑑みてなされたものであり、その目的は、省スペース化を図ることができ、情報処理装置のＯＳが起動していない状態であっても情報処理装置に対して操作可能な情報処理システムを実現することにある。
【課題を解決するための手段】
【０００８】
本発明に係る情報処理システムは、上記課題を解決するために、アプリケーションプログラムとアプリケーションプログラムを起動させるためのＯＳを記憶している情報処理装置と、当該情報処理装置に対する指示信号を出力するタッチパネル付きディスプレイ装置とを備える情報処理システムであって、上記タッチパネル付きディスプレイ装置は、表示画面と、タッチパネルと、キーボード画像データを記憶するキーボード画像データ記憶手段と、上記キーボード画像データ記憶手段から上記キーボード画像データを読み出して上記表示画面にキーボード画像を表示させるキーボード画像表示手段と、上記キーボード画像のキーとキーコードとの対応関係を示すキーコードデータを記憶するキーコードデータ記憶手段と、上記キーボード画像の表示領域においてタッチ入力を検出すると、上記キーボード画像のタッチ位置に対応するキーのキーコードを上記キーコードデータ記憶手段から読み出して、読み出したキーコードを上記指示信号として上記情報処理装置に出力するキーコード出力手段とを備え、上記情報処理装置の電源と上記タッチパネル付きディスプレイ装置の電源がともに入っているときに、上記ＯＳから独立して上記タッチパネル付きディスプレイ装置から上記情報処理装置へ上記指示信号を出力することを特徴としている。
【０００９】
上記の構成によれば、タッチパネル付きディスプレイ装置が、キーボード画像データ記憶手段とキーボード画像表示手段とキーコードデータ記憶手段とキーコード出力手段とを備えている。すなわち、従来の構成と異なり、タッチパネル付きディスプレイ装置自身が、キーボード画像を表示し、キーボード画像に対するタッチ入力からキーコードを出力する機能を有しているので、情報処理装置のＯＳが起動していない場合であっても、タッチパネル付きディスプレイ装置の表示画面にキーボード画像を表示させて、情報処理装置に対する指示操作を行うことができる。また、図５や図６に示す構成のように、キーボード装置やメンブレンキーボードを設ける必要がない。したがって、省スペース化を図ることができ、情報処理装置のＯＳが起動していない状態であっても情報処理装置に対して操作可能な情報処理システムを実現できるという効果を奏する。
【００１０】
本発明に係る情報処理システムでは、上記情報処理装置のＯＳが起動しない場合、上記タッチパネル付きディスプレイ装置は、上記ＯＳを起動させる指示信号を出力することが好ましい。
【００１１】
上記の構成によれば、例えば情報処理装置の電源を入れてもＯＳが起動しない場合であっても、タッチパネル付きディスプレイ装置においてキーボード画像へのタッチ操作によりＯＳを起動させることができる。
【００１２】
本発明に係る情報処理システムでは、上記情報処理装置のＯＳがフリーズした場合、上記タッチパネル付きディスプレイ装置は、上記ＯＳを再起動させる指示信号を出力することが好ましい。
【００１３】
上記の構成によれば、情報処理装置のＯＳがフリーズした場合であっても、ＯＳを再起動させることにより、情報処理装置を復旧させることができる。
【００１４】
本発明に係る情報処理システムでは、上記情報処理装置のＯＳがフリーズした場合、上記タッチパネル付きディスプレイ装置は、上記ＯＳを終了させる指示信号を出力することが好ましい。
【００１５】
上記の構成によれば、情報処理装置のＯＳがフリーズした場合であっても、安全に情報処理装置を終了させることができる。
【発明の効果】
【００１６】
本発明に係る情報処理システムは、アプリケーションプログラムとアプリケーションプログラムを起動させるためのＯＳを記憶している情報処理装置と、当該情報処理装置に対する指示信号を出力するタッチパネル付きディスプレイ装置とを備える情報処理システムであって、上記タッチパネル付きディスプレイ装置は、表示画面と、タッチパネルと、キーボード画像データを記憶するキーボード画像データ記憶手段と、上記キーボード画像データ記憶手段から上記キーボード画像データを読み出して上記表示画面にキーボード画像を表示させるキーボード画像表示手段と、上記キーボード画像のキーとキーコードとの対応関係を示すキーコードデータを記憶するキーコードデータ記憶手段と、上記キーボード画像の表示領域においてタッチ入力を検出すると、上記キーボード画像のタッチ位置に対応するキーのキーコードを上記キーコードデータ記憶手段から読み出して、読み出したキーコードを上記指示信号として上記情報処理装置に出力するキーコード出力手段とを備え、上記情報処理装置の電源と上記タッチパネル付きディスプレイ装置の電源がともに入っているときに、上記ＯＳから独立して上記タッチパネル付きディスプレイ装置から上記情報処理装置へ上記指示信号を出力する。したがって、省スペース化を図ることができ、情報処理装置のＯＳが起動していない状態であっても情報処理装置に対して操作可能な情報処理システムを実現できるという効果を奏する。
【発明を実施するための最良の形態】
【００１７】
本発明の一実施形態について図１〜図４に基づいて説明すると以下の通りである。
【００１８】
図１は、本実施形態に係る情報処理システム１００の構成を示すブロック図である。情報処理システム１００は、タッチパネル付きディスプレイ装置（以下「ディスプレイ装置」）１とパーソナルコンピュータ（以下「コンピュータ」）２とを備えており、ディスプレイ装置１とコンピュータ２とは、画像信号ケーブル３ａ・ＵＳＢケーブル３ｂによって接続されている。
【００１９】
ディスプレイ装置１は、表示画面１１、タッチパネル１２、画像信号インタフェース（画像信号・Ｉ／Ｆ）部１３ａ、ＵＳＢインターフェース（ＵＳＢ・Ｉ／Ｆ）部１３ｂ、画像処理部１４、画像表示部１５、ＯＳＤ画像データ記憶部１６、ＯＳＤ画像読出部１７、タッチパネルコントローラ１８、指示信号出力部１８、キーコードデータ記憶部２０およびキーボード位置変更部２１を備えている。
【００２０】
ディスプレイ装置１は、本体を薄型にするために、液晶ディスプレイや、ＥＬディスプレイや、プラズマディスプレイのようなＦＰ（フラットパネルディスプレイ）が好適に用いられる。なお、ディスプレイ装置１は、ＣＲＴディスプレイであってもよい。タッチパネル１２は、表示画面１１上でタッチ入力を行うために設けられている入力装置であり、タッチ入力が行われると、タッチ位置に応じた電圧信号を生成する。
【００２１】
画像信号・Ｉ／Ｆ部１３ａは、ディスプレイ装置１が画像信号ケーブル３ａを介してコンピュータ２との間の通信を行うための通信制御部である。また、ＵＳＢ・Ｉ／Ｆ部１３ｂは、ディスプレイ装置１がＵＳＢケーブル３ｂを介してコンピュータ２との間の通信を行うための通信制御部である。コンピュータ２からの画像信号ＶＳは、画像信号・Ｉ／Ｆ部１３ａを介して画像処理部１４に入力される。画像表示部１５は、画像処理部１４によって処理された画像信号ＶＳから表示画面１１を駆動するため駆動信号を出力する。これにより、コンピュータ２からの画像が表示画面１１に表示される。
【００２２】
ＯＳＤ画像データ記憶部１６は、オンスクリーンディスプレイ（on-screen display、ＯＳＤ）機能によって表示される画像データを格納するメモリである。本明細書においてＯＳＤ機能とは、ディスプレイの設定画面等を表示画面に表示して操作する機能を意味する。本実施形態では、ＯＳＤ画像データ記憶部１６には、明るさ調整画像データやコントラスト調整画像データ等とともに、キーボード画像データ１６１が格納されている。
【００２３】
所定の操作によってキーボード画像の表示指示がなされると、ＯＳＤ画像読出部１７は、ＯＳＤ画像データ記憶部１６からキーボード画像データ１６１を読み出し、画像処理部１４にキーボード画像信号ＫＳを出力する。画像処理部１４は、コンピュータ２からの画像信号ＶＳとキーボード画像信号ＫＳとを重畳させて、それらの信号を画像表示部１５に出力する。これにより、コンピュータ２からの画像にキーボード画像が重ね合わされて、表示画面１１に表示される。なお、ＯＳＤ画像読出部１７と画像処理部１４と画像表示部１５とが、特許請求の範囲に記載のキーボード画像表示手段に相当する。
【００２４】
図２は、ディスプレイ装置１の正面図である。ディスプレイ装置１の表示画面１１の下側には、電源スイッチＳＷ１、明るさ調整スイッチＳＷ２、コントラスト調整スイッチＳＷ３およびキーボード画像表示スイッチＳＷ４が設けられている。明るさ調整スイッチＳＷ２、コントラスト調整スイッチＳＷ３およびキーボード画像表示スイッチＳＷ４は、ＯＳＤ表示用のスイッチであり、明るさ調整スイッチＳＷ２およびコントラスト調整スイッチＳＷ３をそれぞれ押下すると、明るさ調整画像およびコントラスト調整画像が表示される。
【００２５】
さらに、キーボード画像表示スイッチＳＷ４を押下すると、キーボード画像１１ａがコンピュータ２からの画像に重畳して表示される。ユーザは、キーボード画像１１ａのキーをタッチ入力することにより、コンピュータ２への操作指示を行うことができる。
【００２６】
具体的には、図１に示すタッチパネル１２に対してタッチ入力が行われると、タッチパネルコントローラ１８はタッチ位置を示すタッチデータを生成し、指示信号出力部１８に入力する。指示信号出力部１８は、判定部１９１とキーコード出力部１９２とを有しており、タッチパネルコントローラ１８からのタッチデータは、判定部１９１に入力される。
【００２７】
判定部１９１は、タッチ位置がキーボード画像１１ａの領域内であるか否かを判定し、タッチ位置がキーボード画像１１ａの領域内である場合、キーコード出力部１９２にタッチデータを出力する。キーコードデータ記憶部２０には、キーボード画像のキーとキーコードとの対応関係を示すキーコードデータ２０１が記憶されている。キーコード出力部１９２は、タッチデータが入力されると、キーコードデータ記憶部２０に記憶されているキーコードデータ２０１を参照して、キーボード画像のタッチ位置に対応するキーのキーコードを出力する。当該キーコードは、指示信号としてＵＳＢ・Ｉ／Ｆ部１３ｂを介してコンピュータ２に出力され、これによりコンピュータ２は、キーコードに応じた情報処理を行う。
【００２８】
また、判定部１９１は、タッチ位置がキーボード画像１１ａの領域外である場合、タッチデータをそのままＵＳＢ・Ｉ／Ｆ部１３ｂに出力する。これにより、タッチデータは指示信号としてコンピュータ２に出力される。キーボード画像１１ａ以外の画像は、コンピュータ２からの画像信号によって表示されているので、コンピュータ２は、タッチデータに基づいて情報処理を行う。
【００２９】
なお、図１では、ＯＳＤ画像データ記憶部１６とキーコードデータ記憶部２０とが別々に図示されているが、これらは同一のメモリであってもよい。
【００３０】
また、図１に示すキーボード位置変更部２１は、所定の操作によって、キーボード画像の位置を移動させる機能を有している。キーボード画像の移動は、例えば、「↑」や「↓」等の移動方向を示すキーを操作することにより行う。これにより、閲覧したい箇所がキーボード画像によって隠れてしまう不都合を回避でき、入力操作の利便性が向上する。
【００３１】
図３は、ディスプレイ装置１の入力操作手順を示すフローチャートである。ユーザが、例えば図２に示すキーボード画像表示スイッチＳＷ４を押下してキーボード画像表示指示がなされると（ステップＳ１）、図１に示す画像処理部１４は、ＯＳＤ画像読出部１７からのキーボード画像信号に基づき、キーボード画像を表示画面１１に表示する（ステップＳ２）。続いて、タッチパネル１２上でタッチ入力を行うと（ステップＳ３において「ＹＥＳ」）、図１に示す判定部１９１は、タッチパネルコントローラ１８からのタッチデータに基づき、タッチ位置がキーボード画像の領域内か否かを判定する（ステップＳ４）。タッチ位置がキーボード画像の領域内である場合（ステップＳ４において「ＹＥＳ」）、キーコード出力部１９２が、タッチデータからキーコードを生成し出力する（ステップＳ５）。一方、タッチ位置がキーボード画像の領域外である場合（ステップＳ４において「ＮＯ」）、判定部１９１は、タッチデータをそのまま出力する（ステップＳ６）。
【００３２】
以上のように、ディスプレイ装置１では、ディスプレイ装置１に内蔵されているＯＳＤ画像データ記憶部１６のキーボード画像データ１６１をＯＳＤ画像読出部１７が読み出すことによって、キーボード画像１１ａを表示している。すなわち、キーボード画像１１ａは、ディスプレイ装置１自体が有する機能によって表示されている。
【００３３】
したがって、図７に示す従来の構成と異なり、例えば、コンピュータ２の電源を入れたにもかかわらずコンピュータ２のＯＳが起動しない場合であっても、ディスプレイ装置１では、表示画面１１にキーボード画像１１ａを表示することができ、ユーザは、キーボード画像１１ａをタッチ入力することにより、コンピュータ２に対して起動操作を行うことができる。また、コンピュータ２がフリーズした場合であっても、ユーザは、キーボード画像１１ａを表示させてタッチ入力することにより、コンピュータ２に対して再起動操作を行うことができる。これらの効果について図４に基づいて説明する。
【００３４】
図４は、情報処理システム１００の動作を示すフローチャートである。まず、ディスプレイ装置１とコンピュータ２の電源をＯＮ、すなわち、情報処理システム１００の電源をＯＮにする（ステップＳ１１）。ここで、コンピュータ２のＯＳが起動しない場合（ステップＳ１２において「ＮＯ」）、ユーザはディスプレイ装置１においてキーボード表示を指示して、キーボード画像を表示させる（ステップＳ１３）。続いて、キーボード画像へのタッチ操作によりコンピュータ２のＯＳの起動を指示する（ステップＳ１４）。
【００３５】
これにより、ディスプレイ装置１からＯＳの起動指示がコンピュータ２に送信される。続いて、コンピュータ２のＯＳが起動したが（ステップＳ１２において「ＹＥＳ」）、コンピュータ２のＯＳがフリーズした場合（ステップＳ１５において「ＮＯ」）、ユーザはステップＳ１３と同様に、ディスプレイ装置１においてキーボード表示を指示して、キーボード画像を表示させる（ステップＳ１６）。続いて、キーボード画像へのタッチ操作によりコンピュータ２の再起動を指示する（ステップＳ１７）。これにより、ディスプレイ装置１から再起動指示がコンピュータ２に送信される。これにより、ステップＳ１２に移行する。
【００３６】
なお、ステップＳ１７において、キーボード画像へのタッチ操作によってコンピュータ２の終了を指示してもよい。これにより、ディスプレイ装置１から終了指示がコンピュータ２に送信され、安全にコンピュータ２を終了させることができる。
【００３７】
また、ディスプレイ装置１の電源がコンピュータ２から供給されている場合、コンピュータ２の電源をＯＮすると、先にディスプレイ装置２が起動する構成とすることが望ましい。これにより、コンピュータ２のＯＳが起動する前に、ディスプレイ装置１からコンピュータ２へ指示信号を送信可能となる。
【００３８】
また、通常の稼動状態においても、コンピュータ２はキーボード画像を表示させるための演算処理を行う必要がないので、図７に示す構成に比べ、コンピュータ２の演算処理の負担を軽減することができる。
【００３９】
〔実施形態の総括〕
上記の実施形態では、キーボード画像の表示指示は、キーボード画像表示スイッチを押下することにより行っていたが、これに限定されず、例えば、表示画面上の所定部分をダブルクリックしたり、外部接続されたＩ／Ｏスイッチによってキーボード画像を表示させてもよい。
【００４０】
また上記の実施形態では、キーボード画像をＯＳＤ機能によって表示していたが、これに限定されず、ディスプレイ装置の他のイメージ表示機能によって表示してもよい。
【００４１】
また上記の実施形態では、ディスプレイ装置とコンピュータとは画像信号ケーブル・ＵＳＢケーブルによって接続されていたが、これに限定されず、ディスプレイ装置とコンピュータとをシリアルケーブル等の他のケーブルによって接続してもよい。
【００４２】
また、ディスプレイ装置とコンピュータとを一体的に構成してもよい。
【００４３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００４４】
本発明は、ディスプレイ装置とコンピュータとが一体的に構成された情報処理装置にも適用できる。
【図面の簡単な説明】
【００４５】
【図１】本発明の実施形態に係る情報処理システムの構成を示すブロック図である。
【図２】上記情報処理システムのディスプレイ装置の正面図である。
【図３】上記ディスプレイ装置の入力操作手順を示すフローチャートである。
【図４】上記情報処理システム１００の動作を示すフローチャートである。
【図５】従来の一般的な情報処理システムの概略図である。
【図６】従来の他の情報処理システムの概略図である。
【図７】従来のさらに他の情報処理システムの概略図である。
【符号の説明】
【００４６】
１    タッチパネル付きディスプレイ装置
２    パーソナルコンピュータ（情報処理装置）
１１    表示画面
１１ａ  キーボード画像
１２    タッチパネル
１４    画像処理部（キーボード画像表示手段）
１５    画像表示部（キーボード画像表示手段）
１７    ＯＳＤ画像読出部（キーボード画像表示手段）
１９２  キーコード出力部（キーコード出力手段）
２１    キーボード位置変更部（キーボード位置変更手段）
【図１】
2010086322.tif 000003
【図２】
2010086322.tif 000004
【図３】
2010086322.tif 000005
【図４】
2010086322.tif 000006
【図５】
2010086322.tif 000007
【図６】
2010086322.tif 000008
【図７】
2010086322.tif 000009